(57)【要約】  この空調システムは、２以上の空気調和装置Ａは、被空調空間へ吹き出される空気の風量を調整する送風機と、送風機により吹き出される吹出し空気の風向きを調整する風向調整体と、人の存在を検知する人感検知センサーと、送風機に吸い込まれる吸込み空気の温度を検出する吸込み空気温度センサーと、各空気調和装置の設置位置を設定する位置設定機と、制御部とを備えて成り、位置設定機からのデータで隣接空気調和装置との位置関係を算出し、更に隣接空気調和装置との人検知範囲の重複範囲を算出するものである。
2017158668.tif 000002
【特許請求の範囲】
【請求項１】
２以上の空気調和装置を有して成る空調システムであって、
それぞれの空気調和装置は、
被空調空間へ吹き出される空気の風量を調整する送風機と、 前記送風機により吹き出される吹出し空気の風向きを調整する風向調整体と、人の存在を検知する人感検知センサーと、前記送風機に吸い込まれる吸込み空気の温度を検出する吸込み空気温度センサーと、各空気調和装置に関する設置位置を設定するための位置設定機と、前記送風機および前記風向調整体を制御する制御部と、を備えて成り、
前記空気調和装置の制御部は、前記位置設定機からの入力信号データに基づいて隣接する空気調和装置との位置関係を算出し、隣接する空気調和装置における人感検知センサーの人検知範囲に基づいて前記人検知範囲の重複範囲を算出することを特徴とする空調システム。
【請求項２】
空気調和装置の制御部は、風向および吹出し風量の設定を自動で行なうとともに、人に風を当てる風当て制御モード、又は人に風を当てない風よけ制御モードを有し、前記風当て制御モード又は前記風よけ制御モードを実行する場合には、自動で吹出し風量を低下させるか又は空気調和装置の運転を停止させる機能と、リモートコントローラーにて吹出し風量の低下度合を設定する省エネルギー設定機能と、を備えていることを特徴とする請求項１に記載の空調システム。
【請求項３】
空気調和装置の制御部は、隣接する空気調和装置に関して、
処理１：人感検知センサーによる人検知範囲の重複範囲以外で人を検知した空気調和装置は吹出し風量を低下させないこと、
処理２：２台の空気調和装置が隣接している場合、人感検知センサーによる人検知範囲の重複範囲以外に人を検知していない空気調和装置は、人検知範囲が重複している空気調和装置が吹出し風量ダウン不可である場合は、吹出し風量のダウンが可能であり、人検知範囲が重複している空気調和装置が吹出し風量のダウン可能である場合は、どちらか片方の空気調和装置のみ吹出し風量のダウンを可能とし、目標吸込み空気温度と検知吸込み空気温度との差が少ない方の空気調和装置の吹出し風量を下げること、
という前記処理１および前記処理２を実行することを特徴とする請求項１又は請求項２に記載の空調システム。
【請求項４】
空気調和装置の制御部は、隣接する空気調和装置に関して、
処理１：人感検知センサーによる人検知範囲の重複範囲以外で人を検知した空気調和装置は吹出し風量を低下させないこと、
処理３：３台以上の空気調和装置が並んで隣接している場合、人感検知センサーによる人検知範囲の重複範囲が１つの空気調和装置と重複している空気調和装置と、人検知範囲の重複範囲が２つの空気調和装置と重複している空気調和装置とが隣接している場合、吹出し風量のダウンが可能な優先順位は、人検知範囲の重複範囲が１つである空気調和装置と重複している空気調和装置を優先するとともに、隣接するどちらか片方の空気調和装置のみ吹出し風量のダウンが可能とし、人検知範囲の重複範囲の数が少ない空気調和装置について吹出し風量のダウンが可能な優先順位を上げ、重複範囲が同じ数の空気調和装置が隣接した場合には、目標吸込み空気温度と検出吸込み空気温度との差が少ない方の空気調和装置について吹出し風量ダウンが可能な優先順位を上げること、
という前記処理１および前記処理３を実行することを特徴とする請求項１又は請求項２に記載の空調システム。
【発明の詳細な説明】
【技術分野】
【０００１】
この発明は、２方向以上の吹出し口および人感検知センサーを有する空気調和装置を２以上備えて成る空調システムに関するものである。
【背景技術】
【０００２】
従来の空調システムは、ルームエアコンなどで人感検知センサーが採用され、人を検知して人の快適性を考慮した空調を行うことが可能となり、ルームエアコンだけではなく、業務用空調機である四方向吹出しカセット形の室内機や二方向吹出しカセット形の室内機などにも採用されている（例えば特許文献１参照）。この特許文献１に記載の技術は、複数の空調領域別に人の存在を検知する人感検知センサーと、単一又は複数の空調領域別に室内温度を検出する室内空気温度センサーと、２方向以上の風の吹出し口があり、その風向きを個別に変更可能なルーバーと、を備えた空気調和装置（室内機）に関するものであり、 人を検知した後に、単一又は複数の空調領域別に検出された室内温度が変化した場合に、人を検知した空調領域の風向きを自動的に変更する制御を行なうようになっている。
【先行技術文献】
【特許文献】
【０００３】
【特許文献１】特開２０１２−１５４５２２号公報
【発明の概要】
【発明が解決しようとする課題】
【０００４】
ところで、従来の空気調和装置においてビルの同一フロア空調をする際には、複数台の空気調和装置を配備して同一フロアの空調を行うことが多い。その際に、外界条件変化の影響を受けやすい窓際などのペリメータゾーンは、複数台の空気調和装置が互いに近くに設置されていることがある。空気調和装置が人を検知する人感検知センサーなどを備えている場合、近くに設置されている他の空気調和装置の人検知範囲と同じ場所を検知していることがある。その場合、複数の空気調和装置が、人感検知センサーにより検知された人に向けて風を吹き出す制御を行なっている場合、同じ人を検知した複数の空気調和装置が何れもその場所に向かって空調を行い、その人にとっては冷えすぎ又は暑すぎなど快適性を損なうような空調になるおそれがある。これはエネルギーの損失にもつながる。【０００５】
この発明は、上記のような課題を解決するためになされたもので、同じ範囲で人の存在を検知することが可能な空気調和装置同士で、吹出し風量と風向を調整することにより、人の快適性を損なうことなく省エネルギー化も図ることのできる空調システムを得ることを目的とする。
【課題を解決するための手段】
【０００６】
この発明に係る空調システムは、２以上の空気調和装置を有して成るシステムであって、それぞれの空気調和装置は、被空調空間へ吹き出される空気の風量を調整する送風機と、 送風機により吹き出される吹出し空気の風向きを調整する風向調整体と、人の存在を検知する人感検知センサーと、送風機に吸い込まれる吸込み空気の温度を検出する吸込み空気温度センサーと、各空気調和装置に関する設置位置を設定するための位置設定機と、送風機および風向調整体を制御する制御部と、を備えて成り、空気調和装置の制御部は、位置設定機からの入力信号データに基づいて隣接する空気調和装置との位置関係を算出し、隣接する空気調和装置における人感検知センサーの人検知範囲に基づいて人検知範囲の重複範囲を算出することを特徴とするものである。
【発明の効果】
【０００７】
この発明の空調システムは、各空気調和装置の制御部が、位置設定機からの入力信号データに基づいて隣接する空気調和装置との位置関係を算出し、隣接する空気調和装置における人感検知センサーの人検知範囲に基づいて人検知範囲の重複範囲を算出するように構成したので、このように算出した複数の空気調和装置の人検知範囲の重複範囲を利用することができる。すなわち、人検知範囲が重なる複数の空気調和装置で同じ空調領域を空調する際に、人のいる空調領域の空調を調節することができる。これにより、冷えすぎなどを防止して快適性を損なわずに、また無駄のない空調を行うことで省エネ性を高めることが可能になるという効果を有する。
【図面の簡単な説明】
【０００８】
【図１】この発明の実施の形態１における空調システムの空気調和装置を斜め下から見上げた斜視図である。
【図２】前記空気調和装置の正断面図である。
【図３】前記空気調和装置の制御構成を示す概略ブロック図である。
【図４】前記空気調和装置を３台用いた一配置例を示す平面配置図である。
【図５】前記空気調和装置を２台用いた場合の一制御例を示す説明図である。
【図６】前記空気調和装置の制御動作の一例を示すフローチャートである。
【図７】前記空気調和装置の制御動作の別例を示すフローチャートである。
【図８】前記空気調和装置を３台用いた場合の一制御例を示す説明図である。
【図９】前記空気調和装置を３台用いた場合の他の制御例を示す説明図である。
【発明を実施するための形態】
【０００９】
実施の形態１．
図１はこの発明の実施の形態１における空調システムの空気調和装置を斜め下から見上げた斜視図、図２は前記空気調和装置の正断面図を示すものである。
各図において、この実施形態の空調システムは、２台以上の空気調和装置Ａ（Ａ１，Ａ２，Ａ３）を備えているものである。各空気調和装置Ａは、冷媒回路を備えた空調機全体（図示省略）の一部を構成しているカセット式の室内機である。そして、各空気調和装置Ａは、下面が開口した角形箱状の本体ケーシング１と、本体ケーシング１内の天面１Ａに取り付けられた送風機２と、本体ケーシング１内で送風機２の周りを囲むように配備された通風自在の熱交換器３と、本体ケーシング１の下面開口１Ｂの縁部に取り付けられて下面開口１Ｂを蓋止するパネル４と、パネル４の対向辺部４Ａ，４Ａに形成された左右１対の吹出し口５，５と、各吹出し口５に配備されて吹出し空気の吹出し方向を変えるベーン（風向調整体の例）６と、パネル４における吹出し口５，５の内方位置に形成された左右１対の吸込み口７，７と、を備えて構成されている。
【００１０】
前記した熱交換器３は冷媒回路の一部を構成しており、冷媒回路の冷媒配管と接続される入側配管接続具および出側配管接続具（いずれも図示省略）を備えている。また、前記の送風機２は、下面開口２Ａがパネル４の吸込み口７，７と連通し側面にファン吹出し口２Ｂが形成されていて本体ケーシング１内の天面１Ａに取り付けられるファンケーシング２Ｃと、ファンケーシング２Ｃの天面に取り付けられた送風機用モータ２Ｄと、送風機用モータ２Ｄの回転駆動軸に取り付けられたファン２Ｅと、から構成されている。そして、前記のベーン６は各吹出し口５内で揺動自在に支持されており、ベーン６の揺動駆動軸６Ａは、本体ケーシング１内に配備されている風向制御モータ６Ｂ（図１，２では図示省略）と連結されている。
【００１１】
更に、各空気調和装置Ａは、図３に示すように、マイクロコンピュータにより具現化される制御部１０を備えている。前記のマイクロコンピュータは、中央演算装置ＣＰＵと、メモリＭと、データバスＤＢと、を備えて構成されている。データバスＤＢの入力側には、リモートコントローラー（位置設定機の例）１１と、吸込み空気温度センサー１２と、冷媒配管温度センサー１３と、人感検知センサー１４と、ＧＰＳセンサー（位置設定機の例）１５と、がデータ通信可能に接続されている。ＧＰＳセンサー１５はグローバル・ポジショニング・システム（ＧＰＳ）における衛星からの信号を受信して空気調和装置Ａの設置位置および方位を検出する機能を有している。尚、これらの設置位置に関する位置データは、リモートコントローラー１１を用いて予め外部から設定し、メモリＭなどに記憶させておくことも可能である。そして、データバスＤＢの出力側には、送風機用モータ２Ｄと風向制御モータ６Ｂのそれぞれを駆動する各ドライバー（図示省略）がデータ通信可能に接続されている。メモリＭは、空気調和装置用の制御プログラムデータと、リモートコントローラー１１から予め設定入力された各種の制御目標値データと、各種センサーから受信して暫時保存しておく検出値データと、を記憶する。
【００１２】
次に動作について説明する。上記のように構成された空気調和装置においては、送風機２の駆動により吸込み口７から室内空気が吸い込まれ、吸い込まれた空気が、ファンケーシング２Ｃのファン吹き出し口２Ｂから吹出されて熱交換器３を通過する際に冷媒と熱交換して空気調和される。この空調空気が吹出し口５から吹き出されることで、室内の空調が行なわれる。また、吹出し口５にあるベーン６の角度変更により風向が調整されるようになっている。そして、制御部１０は、リモートコントローラー１１からの送信データ、吸込み空気温度センサー１２や人感検知センサー１４や冷媒配管温度センサー１３からの検出データを元に、送風機２のファン回転数を変えて吹出し口５からの吹出し風量を制御したり、ベーン６の向きを変えて風向を制御したりしている。
【００１３】
図４は本実施形態に係る空気調和装置（２方向吹出し形のカセット式の室内機）の設置例を示す図である。図４に示すようにペリメータゾーンなど空調負荷の高い場所では、複数（この例では３台）の空気調和装置Ａ１，Ａ２，Ａ３が密集して配備されやすく、各空気調和装置の空調範囲は重なっていることが多い。このとき、空気調和装置Ａ１，Ａ２，Ａ３が、人感検知センサー１４により人の存在を検知しその空調領域を空調する機能を持っている場合、３台の空気調和装置Ａ１，Ａ２，Ａ３で人検知範囲Ｂ１，Ｂ２，Ｂ３が重なることが多いので、同じ空調領域を同時に空調することになる。
【００１４】
この場合、複数の空気調和装置Ａ１，Ａ２，Ａ３がそれぞれどのくらいの距離隔てて配置されているかを認識させる必要がある。そこで、それぞれのＧＰＳセンサー１５で位置信号を検知させて各空気調和装置Ａ１，Ａ２，Ａ３がそれぞれ互いにどのくらい離れた距離および方向に位置しているかを認識させる。あるいは、隣接している空気調和装置の方向および距離に係る位置データをリモートコントローラー１１から予め設定することで、相互の位置関係を認識させることも可能である。このようにすることで、隣接の空気調和装置の位置を認識させて、空調する空調領域が重なる範囲および、人検知範囲が重なる範囲を認識させるのである。
【００１５】
人の存在を検知して空調を行う際には、人に風を当てる空調（以降「風当て」と記載する）と、人に風をあてないようにする空調（以降「風よけ」と記載する）が考えられるが、それぞれの制御方法について記載する。
まずは、「風当て」制御モードの場合、このときは吹出し空気の風向を操作するベーン６の角度（風向設定）が設定されていない「自動」であり、かつリモートコントローラー１１により風当て機能が設定されている場合に行なわれる制御である。また、以降の制御は風量も自動の設定となっている場合にも行なわれる制御である。
【００１６】
図５のように、２台の空気調和装置Ａ１，Ａ２において人検知範囲Ｂ１，Ｂ２が重なる位置に人がいる場合で、風当て制御モードに設定されている時には、通常は空気調和装置Ａ１，Ａ２の両者が、人を検知した空調領域に空調空気を送る。その場合、２台の空気調和装置Ａ１，Ａ２から風が来るため、人検知範囲が重なる空調領域に人がいる場合、冷房時に寒く感じることがある。そこで、風当ての度合いを考慮した設定として、省エネルギー設定を行なう。この省エネルギー設定は、片方の空気調和装置にて空調を行い、他方は吹出し風量を弱くすることで、空調領域が重なる範囲の空調を調節するようにする。風当て制御モードにおける省エネルギー設定では、省エネルギー度のレベルを分けた設定を行なう。省エネルギー度が高いレベルとしては、人検知範囲が重なる場合で、その重複範囲以外に人がいない場合は、片方の空気調和装置Ａ１又はＡ２を停止させる。他方で、省エネルギー度が低いレベルとしては、吹出し風量を１段階落とした設定（例えば、３段階設定の場合は３段目から２段目の設定に落とす）とする。風当て制御モードにおいて省エネルギー設定がなしとした場合については、吹出し風量の低下は行わないという設定にする。
【００１７】
このとき、どちらの空気調和装置Ａ１又はＡ２の空調を調節するかについては、次の３つの処理に従う。
「処理１」：人感検知センサー１４による人検知範囲の重複範囲以外で人を検知した空気調和装置は、吹出し風量のダウンをさせない制御を行なう。
「処理２」：人感検知センサー１４による人検知範囲の重複範囲以外で人を検知していない空気調和装置は、人検知範囲が重複している空気調和装置が吹出し風量のダウンが不可（人検知範囲の重複範囲以外では人の存在を検知している）である場合は、吹出し風量ダウンができる。人検知範囲が重複している空気調和装置が吹出し風量ダウン可能（隣接している空気調和装置の人感センサー検知範囲で、いずれも重複範囲以外に人がいない場合）である場合は、どちらか一方の空気調和装置のみを吹出し風量ダウンが可能とし、予め設定された目標吸込み空気温度と吸込み空気温度センサー１２で検出された検出吸込み空気温度との温度差が少ない方の空気調和装置の吹出し風量を下げるような制御を行なう。
「処理３」：３台以上の空気調和装置Ａ１，Ａ２，Ａ３が並んで隣接している場合、人検知範囲の重複範囲が１つの空気調和装置と重複している空気調和装置と、人検知範囲の重複範囲が２つの空気調和装置と重複している空気調和装置とが隣接している場合、吹出し風量がダウン可能な優先順位は、人検知範囲の重複範囲が１つの空気調和装置と重複している空気調和装置を優先することとし、人検知範囲の重複範囲が少ない空気調和装置については、吹出し風量ダウンが可能な優先順位を上げる。重複範囲が同じ数の空気調和装置が隣接した場合には、処理２で記載した目標温度と設定温度との差が少ない方の空気調和装置について、吹出し風量ダウンが可能な優先順位を上げる設定を行なうのである。
このように風当て制御モードの設定時に、人検知範囲が重なる認識をした場合、該当する空気調和装置同士で、吹出し風量の制御を行うような設定を行なう。上記各処理を行なうことで、吹出し風量をダウンすることのできる空気調和装置が増えるため、より大きな省エルギー効果を期待できる制御となる。
【００１８】
そこで、２台の空気調和装置Ａ１，Ａ２が隣接している場合の制御動作について示す。尚、以下の説明において、説明を判りやすくするために、空気調和装置のことを単に「ユニット」と称する。後述する図６および図７のフローチャート中でも同じである。
まず、ＧＰＳセンサー１５にて隣接する人検知範囲が重なるユニットの有無を把握する。対象ユニットとその隣接するユニットの風向および吹出し風量がともに自動設定であり、かつ風当て制御モードの設定である場合については、対象ユニットの人検知範囲で、隣接ユニットとの重複範囲にのみ人がおり、また隣接ユニットの人検知範囲で対象ユニットと隣接ユニットとの人検知範囲の重複範囲以外に人がいる場合は対象ユニットの吹出し風量を下げる（省エネルギー設定：低）、もしくはユニットの送風機２を停止させる（省エネルギー設定：高）。対象ユニットの人検知範囲で、隣接ユニットとの重複範囲にのみ人がおり、また隣接ユニットの人検知範囲で対象ユニットと隣接ユニットの人検知範囲の重複範囲以外に人がいない場合は、対象ユニットと隣接ユニットにおいて目標吸込み空気温度と検出吸込み空気温度との温度差が少ない方のユニットについて、吹出し風量を下げる（省エネルギー設定：低）、もしくはユニットの送風機２を停止させるように制御する（省エネルギー設定：高）。
【００１９】
ここで、２台のユニットＡ１，Ａ２が隣接している場合の制御動作の詳細を、図６のフローチャートに示す。
まず、或るユニットＡ１の制御部１０の演算処理装置ＣＰＵは、他のユニットＡ２のＧＰＳセンサー１５からの位置座標データを受信し、ユニットＡ２が当該ユニットＡ１から半径８ｍ以内に在るか否かを判断する（ステップＳ１）。ユニットＡ１とユニットＡ２との距離が８ｍ以内であれば（Ｙ）、ステップＳ２へ進み、距離が８ｍを超えていれば（Ｎ）、ステップＳ１の処理に戻る。ステップＳ２において、当該ユニットＡ１および隣のユニットＡ２のそれぞれの風向および吹出し風量が自動設定にされていれば（Ｙ）、ステップＳ３へ進み、自動設定にされていなければ（Ｎ）、ステップＳ１の処理に戻る。ステップＳ３において、当該ユニットＡ１および隣のユニットＡ２のそれぞれの制御モードが風当て又は風よけに設定されていれば（Ｙ）、ステップＳ４へ進み、風当て又は風よけに設定にされていなければ（Ｎ）、ステップＳ１の処理に戻る。ステップＳ４において、当該ユニットＡ１および隣のユニットＡ２のそれぞれの人感検知センサー１４，１４による検知範囲の重複範囲内にのみ人が居れば（Ｙ）、ステップＳ５へ進み、前記重複範囲以外に人が居るのであれば（Ｎ）、ステップＳ１の処理に戻る。
【００２０】
引続き、ステップＳ５において、当該ユニットＡ１および隣のユニットＡ２のそれぞれの人感検知センサー１４，１４による人検知範囲Ｂ１，Ｂ２の重複範囲以外に人が居れば（Ｙ）、ステップＳ７へ進み、前記重複範囲内以外に人が居なければ（Ｎ）、ステップＳ６の処理へ進む。ステップＳ６において、当該ユニットＡ１で予め設定された目標吸込み空気温度と吸込み空気温度センサー１２により検出された吸込み空気温度（室内温度に対応した温度）との温度差が、隣のユニットＡ２における目標吸込み空気温度と検出吸込み空気温度との温度差よりも小さければ（Ｙ）、ステップＳ７へ進み、当該ユニットＡ１の温度差が隣のユニットＡ２の温度差以上であれば（Ｎ）、ステップＳ１の処理に戻る。ステップＳ７において、当該ユニットＡ１での省エネルギー運転の設定が高レベルであれば（Ｙ）、ステップＳ８へ進んで当該ユニットＡ１の運転が停止される。一方、当該ユニットＡ１が高レベルの省エネルギー運転に設定されていれば（Ｎ）、ステップＳ９へ進んで当該ユニットＡ１の送風機用モータ２Ｄが制御されて吹出し風量が下げられるのである。
【００２１】
以上のように、隣接する２台の空気調和装置Ａ１，Ａ２における人感検知センサー１４，１４の人検知範囲Ｂ１，Ｂ２に基づいて人検知範囲の重複範囲を算出するように構成したので、このように算出した複数の空気調和装置Ａ１，Ａ２の人検知範囲Ｂ１，Ｂ２の重複範囲を利用することができる。すなわち、人検知範囲Ｂ１，Ｂ２が重なる２台の空気調和装置Ａ１，Ａ２で同じ空調領域を空調する際に、人のいる空調領域の空調を調節することができる。これにより、冷えすぎなどを防止して快適性を損なわずに、また無駄のない空調を行うことで省エネ性を高めることができる。
【００２２】
実施の形態２．
実施の形態１では、２台の空気調和装置Ａ１，Ａ２が隣接している場合の制御動作を示したものであるが、次に３台以上のユニットが隣接している場合の制御を行なう実施の形態２を説明する。
このような３台以上のユニットＡ１，Ａ２，Ａ３が隣接している場合においても人感検知センサー１４の検知内容以外については、上記した２台のユニットＡ１，Ａ２が隣接している場合と同様である。まず、ＧＰＳセンサー１５にて隣接する人検知範囲が重なるユニットの有無を把握する。対象ユニットとその隣接するユニットの風向、吹出し風量がともに自動設定であり、かつ風当て制御モードに設定されている場合については、対象ユニットの人検知範囲内で、隣接ユニットとの検知重複範囲のみに人がおり、また隣接ユニットの人検知範囲内で対象ユニットと隣接ユニットの人検知範囲の検知重複範囲以外に人がいる場合は、対象ユニットの吹出し風量を下げる（省エネルギー設定：低）、もしくはユニットの送風機２を停止させる（省エネルギー設定：高）。対象ユニットの人検知範囲内で、隣接ユニットとの検知重複範囲のみ人がおり、また隣接ユニットの人検知範囲で対象ユニットと隣接ユニットの人検知範囲の検知重複範囲以外に人がいない場合については、人検知範囲で、隣接しているユニットとの重複範囲の数が隣接しているユニットより少なければ対象ユニットの吹出し風量を下げる（省エネルギー設定：低）、もしくはユニットの送風機２を停止させる（省エネルギー設定：高）。重複範囲の数が同じ場合は、対象ユニットと隣接ユニットで目標吸込み空気温度と検出吸込み空気温度との差が少ない方のユニットに対して、吹出し風量を下げさせる（省エネルギー設定：低）、もしくはユニットの送風機２を停止させる（省エネルギー設定：高）。
【００２３】
前記した３台のユニットＡ１，Ａ２，Ａ３が隣接している場合の制御動作の詳細を、図７のフローチャートに示す。尚、図７のフローチャートに示した処理手順が図６のフローチャートに示した実施形態１の処理手順と異なるところは、ステップＳ５とステップＳ６との間に、新たなステップＳ５Ａの処理とステップＳ５Ｂの処理を設けたことである。
すなわち、図７のフローチャートでは、ステップＳ５において、当該ユニットＡ２および隣のユニットＡ１のそれぞれの人感検知センサー１４，１４による人検知範囲Ｂ２，Ｂ１の重複範囲以外に人が居なければ（Ｎ）、ステップＳ５Ａの処理へ進み、前記重複範囲以外に人がいれば（Ｙ）、ステップＳ７に進む。ステップＳ５Ａにおいて、当該ユニットＡ２と隣のユニットＡ１との検知重複範囲の数が、当該ユニットＡ２と隣のユニットＡ３の検知重複範囲の数よりも少なければ（Ｙ）、ステップＳ７に進み、検知重複範囲の数が、隣のユニットＡ３よりも少なくなければ（Ｎ）、ステップＳ５Ｂに進む。ステップＳ５Ｂにおいて、当該ユニットＡ２と隣のユニットＡ１の検知重複範囲の数が、当該ユニットＡ２と隣のユニットＡ３の検知重複範囲の数と同じであれば（Ｙ）、ステップＳ６に進み、検知重複範囲の数が隣接のユニットＡ３と同じでなければ（Ｎ）、ステップＳ１に戻る。そして、ステップＳ５Ａ（Ｙ）とステップＳ５Ｂ（Ｙ）からは、既述したステップＳ７〜Ｓ９の処理が実行されて、ユニットＡ１の運転が停止されたり、ユニットＡ１の吹出し風量が下げられたりするのである。
【００２４】
以上のように、人検知範囲Ｂ１，Ｂ２，Ｂ３が重なる３台の空気調和装置Ａ１，Ａ２，Ａ３で同じ空調領域を空調する際に、人のいる空調領域の空調を調節することができる。これにより、冷えすぎなどを防止して快適性を損なわずに、また無駄のない空調を行うことで省エネ性を高めることができる。
【００２５】
例えば、図８のように３台の空気調和装置Ａ１，Ａ２，Ａ３が並んで設置されている場合についても、上記処理内容にて制御を行う。図８に示すように、空気調和装置Ａ１，Ａ３の間に挟まれた空気調和装置Ａ２について、両端の空気調和装置Ａ１，Ａ３が吹出し風量を下げられない条件となっている場合、間に挟まれている空気調和装置Ａ２の人検知範囲については、いずれも空気調和装置Ａ２以外の空気調和装置Ａ１，Ａ３にて空調可能であるため、空気調和装置Ａ２については吹出し風量を下げる制御を行なえばよい。
【００２６】
逆に、空気調和装置Ａ１と空気調和装置Ａ３が吹出し風量を下げることが可能な設定の場合は、図９に示すように、空気調和装置Ａ２は吹出し風量を下げずに、空気調和装置Ａ１と空気調和装置Ａ３の吹出し風量を下げる制御を行なう。
４台以上の空気調和装置が隣接して設置された場合についても、上記記載の条件にて、吹出し風量ダウンが可能な空気調和装置に対して吹出し風量を下げる制御を実行させる。
【００２７】
次に、「風よけ」制御モードの場合、このときは空調された吹出し空気の風向を調整するベーン６の角度（風向設定）が設定されていない「自動」で、リモートコントローラー１１により風よけ機能が設定されている場合に機能する制御である。風よけは人を検知した場合、風向きを水平とすることで人に直接的に風を当てないようにする制御である。風よけの場合にも、吹出し風量を下げる空気調和装置の条件は風当て時の設定と同じ条件にて行う。
【００２８】
又、「風当て」制御モードを実行する空気調和装置と、「風よけ」制御モードを実行する空気調和装置とが隣接している場合についても、吹出し風量ダウンの処理は、既述した処理１，２，３と同様に行なえばよい。
【００２９】
尚、上記の実施形態では、風向調整体としてベーンを例示したが、本発明はそれに限定されるものでなく、例えばルーバーを風向調整体として適用してもよい。
【符号の説明】
【００３０】
１  本体ケーシング
２  送風機
５  吹出し口
６  ベーン（風向調整体）
７  吸込み口
１０  制御部
１１  リモートコントローラー（位置設定機）
１２  吸込み空気温度センサー
１３  冷媒配管温度センサー
１４  人感検知センサー
１５  ＧＰＳセンサー（位置設定機）
Ａ，Ａ１，Ａ２，Ａ３  空気調和装置
Ｂ１，Ｂ２，Ｂ３  人検知範囲
【図１】
2017158668.tif 000003
【図２】
2017158668.tif 000004
【図３】
2017158668.tif 000005
【図４】
2017158668.tif 000006
【図５】
2017158668.tif 000007
【図６】
2017158668.tif 000008
【図７】
2017158668.tif 000009
【図８】
2017158668.tif 000010
【図９】
2017158668.tif 000011
【手続補正書】
【提出日】平成30年6月4日(2018.6.4)
【手続補正１】
【補正対象書類名】明細書
【補正対象項目名】０００６
【補正方法】変更
【補正の内容】
【０００６】
この発明に係る空調システムは、２以上の空気調和装置を有して成る空調システムであって、それぞれの空気調和装置は、被空調空間へ吹き出される空気の風量を調整する送風機と、人の存在を検知する人感検知センサーと、各空気調和装置に関する設置位置を設定するための位置設定機と、送風機を制御する制御部と、を備えて成り、制御部は、位置設定機からの入力信号データに基づいて隣接する空気調和装置との位置関係を算出し、隣接する空気調和装置における人感検知センサーの人検知範囲に基づいて人検知範囲の重複範囲を算出するものであり、処理１：人感検知センサーによる人検知範囲の重複範囲以外で人を検知した空気調和装置は吹出し風量を低下させないこと、という処理１を実行することを特徴とするものである。
【手続補正２】
【補正対象書類名】特許請求の範囲
【補正対象項目名】全文
【補正方法】変更
【補正の内容】
【特許請求の範囲】
【請求項１】
２以上の空気調和装置を有して成る空調システムであって、
それぞれの空気調和装置は、
被空調空間へ吹き出される空気の風量を調整する送風機と、
人の存在を検知する人感検知センサーと、
各空気調和装置に関する設置位置を設定するための位置設定機と、
前記送風機を制御する制御部と、を備えて成り、
前記制御部は、前記位置設定機からの入力信号データに基づいて隣接する空気調和装置との位置関係を算出し、前記隣接する空気調和装置における人感検知センサーの人検知範囲に基づいて前記人検知範囲の重複範囲を算出するものであり、
処理１：前記人感検知センサーによる人検知範囲の重複範囲以外で人を検知した空気調和装置は吹出し風量を低下させないこと、
という前記処理１を実行することを特徴とする空調システム。
【請求項２】
処理２：２台の空気調和装置が隣接している場合、前記人感検知センサーによる人検知範囲の重複範囲以外に人を検知していない空気調和装置は、前記人検知範囲が重複している空気調和装置が吹出し風量ダウン不可である場合は、吹出し風量のダウンが可能であり、前記人検知範囲が重複している前記空気調和装置が吹出し風量のダウン可能である場合は、どちらか片方の空気調和装置のみ吹出し風量のダウンを可能とし、目標吸込み空気温度と検知吸込み空気温度との差が少ない方の空気調和装置の吹出し風量を下げること、
という前記処理２を実行することを特徴とする請求項１に記載の空調システム。
【請求項３】
処理３：３台以上の空気調和装置が並んで隣接している場合、前記人感検知センサーによる人検知範囲の重複範囲が１つの空気調和装置と重複している空気調和装置と、前記人検知範囲の重複範囲が２つの空気調和装置と重複している空気調和装置とが隣接している場合、吹出し風量のダウンが可能な優先順位は、前記人検知範囲の重複範囲が１つの空気調和装置と重複している前記空気調和装置を優先するとともに、隣接するどちらか片方の空気調和装置のみ吹出し風量のダウンが可能とし、前記人検知範囲の重複範囲の数が少ない空気調和装置について吹出し風量のダウンが可能な優先順位を上げ、前記重複範囲が同じ数の空気調和装置が隣接した場合には、目標吸込み空気温度と検出吸込み空気温度との差が少ない方の空気調和装置について吹出し風量ダウンが可能な優先順位を上げること、
という前記処理３を実行することを特徴とする請求項１に記載の空調システム。
【請求項４】
２以上の空気調和装置を有して成る空調システムであって、
それぞれの空気調和装置は、
被空調空間へ吹き出される空気の風量を調整する送風機と、
人の存在を検知する人感検知センサーと、
各空気調和装置に関する設置位置を設定するための位置設定機と、
前記送風機を制御する制御部と、を備えて成り、
前記制御部は、
前記位置設定機からの入力信号データに基づいて隣接する空気調和装置との位置関係を算出し、
前記隣接する空気調和装置における人感検知センサーの人検知範囲に基づいて前記人検知範囲の重複範囲を算出し、
前記重複範囲にのみ人を検知した場合であって、前記隣接する空気調和装置における人感検知センサーが前記重複範囲以外に人を検知した場合、前記送風機の風量を低下させることを特徴とする空調システム。
【請求項５】
処理１：人感検知センサーによる人検知範囲の重複範囲以外で人を検知した空気調和装置は吹出し風量を低下させないこと、
処理２：２台の空気調和装置が隣接している場合、前記人感検知センサーによる人検知範囲の重複範囲以外に人を検知していない空気調和装置は、前記人検知範囲が重複している空気調和装置が吹出し風量ダウン不可である場合は、吹出し風量のダウンが可能であり、前記人検知範囲が重複している前記空気調和装置が吹出し風量のダウン可能である場合は、どちらか片方の空気調和装置のみ吹出し風量のダウンを可能とし、目標吸込み空気温度と検知吸込み空気温度との差が少ない方の空気調和装置の吹出し風量を下げること、
という前記処理１および前記処理２を実行することを特徴とする請求項４に記載の空調システム。
【請求項６】
処理１：前記人感検知センサーによる人検知範囲の重複範囲以外で人を検知した空気調和装置は吹出し風量を低下させないこと、
処理３：３台以上の空気調和装置が並んで隣接している場合、前記人感検知センサーによる人検知範囲の重複範囲が１つの空気調和装置と重複している空気調和装置と、前記人検知範囲の重複範囲が２つの空気調和装置と重複している空気調和装置とが隣接している場合、吹出し風量のダウンが可能な優先順位は、前記人検知範囲の重複範囲が１つの空気調和装置と重複している前記空気調和装置を優先するとともに、隣接するどちらか片方の空気調和装置のみ吹出し風量のダウンが可能とし、前記人検知範囲の重複範囲の数が少ない空気調和装置について吹出し風量のダウンが可能な優先順位を上げ、前記重複範囲が同じ数の空気調和装置が隣接した場合には、目標吸込み空気温度と検出吸込み空気温度との差が少ない方の空気調和装置について吹出し風量ダウンが可能な優先順位を上げること、
という前記処理１および前記処理３を実行することを特徴とする請求項４に記載の空調システム。
【請求項７】
前記それぞれの空気調和装置は、
前記送風機により吹き出される吹出し空気の風向きを調整する風向調整体と、前記送風機に吸い込まれる吸込み空気の温度を検出する吸込み空気温度センサーと、をさらに備え、
前記制御部は、前記風向調整体を制御することを特徴とする請求項１〜請求項６の何れか一項に記載の空調システム。
【請求項８】
前記空気調和装置の制御部は、風向および吹出し風量の設定を自動で行なうとともに、人に風を当てる風当て制御モード、又は人に風を当てない風よけ制御モードを有し、前記風当て制御モード又は前記風よけ制御モードを実行する場合には、自動で吹出し風量を低下させるか又は空気調和装置の運転を停止させる機能と、リモートコントローラーにて吹出し風量の低下度合を設定する省エネルギー設定機能と、を備えていることを特徴とする請求項１〜７の何れか一項に記載の空調システム。
【国際調査報告】
2017158668.tif 000012
2017158668.tif 000013